(57)【要約】【課題】本発明は、照射線によって人間の皮膚を処置するための装置１に関する。【解決手段】本装置は、照射線出口開口１３を備えたハウジング３を有する。前記照射線源によって発生させられる照射線は、前記照射線源から前記照射線出口開口の方へ、所定の透過スペクトルを持つ照射線フィルタを有する照射線経路１５を介して伝播する。前記照射線フィルタは、前記照射線経路１５に沿って伝播する前記照射線が反射される反射面２３を有する。前記反射面は、前記所定の透過スペクトルに実質的にマッチする反射スペクトルを当該反射面に与えるコーティングを持つ。反射面が最適に且つ均一に冷却されるため、照射線フィルタによる照射線の一部の吸収の結果として発生した熱が、前記装置１の冷却システム２５に、効果的に伝達される。実施例において、人間の皮膚から毛を除去するための前記装置１は脱毛器である。【選択図】図１
2011050792.tif 000002
【特許請求の範囲】
【請求項１】
照射線によって人間の皮膚を処置するための装置であって、当該装置は、照射線出口開口を備えたハウジング、発生されたスペクトルを持つ照射線を生成する、前記ハウジングに収容される照射線源、及び、前記照射線源と前記照射線出口開口との間の照射線経路を有し、前記照射線経路は、前記発生されたスペクトルのうちの前記皮膚に供給される部分を決定する所定の透過スペクトルを持つ照射線フィルタを有する、装置において、前記照射線フィルタは反射面を有し、前記照射線経路に沿って伝播する前記照射線は前記反射面を介して反射し、前記反射面は、前記所定の透過スペクトルに実質的にマッチする反射スペクトルを当該反射面に与えるコーティングを持ち、前記反射面は、冷却システムと熱接触する壁に設けられることを特徴とする装置。
【請求項２】
請求項１に記載の装置において、前記照射線フィルタは、前記照射線経路を囲み前記反射面が設けられる内側壁を有する、チャネルを有することを特徴とする装置。
【請求項３】
請求項２に記載の装置において、前記チャネルは前記照射線源と前記照射線出口開口との間に位置する曲がりを有することを特徴とする装置。
【請求項４】
請求項１に記載の装置において、前記反射面は、第１の反射スペクトルを第１の部分に与える第１のコーティング材料を持つ当該第１の部分と、第２の反射スペクトルを第２の部分に与える第２のコーティング材料を持つ当該第２の部分とを有し、前記第１の及び前記第２の反射スペクトルは、合わせて、前記所定の透過スペクトルにマッチすることを特徴とする装置。
【請求項５】
請求項１に記載の装置において、前記冷却システムは、冷却流体で満たされた回路を有し、前記壁は前記回路と熱接触することを特徴とする装置。
【請求項６】
請求項１に記載の装置において、前記冷却システムは、ガス流を発生させるためのファン及び前記ガス流を前記壁に沿ってガイドするためのガイドを有することを特徴とする装置。
【請求項７】
請求項１、２、３、４、５又は６に記載の装置において、該装置は、前記照射線源がフラッシュランプである、人間の皮膚から毛を除去するための装置であることを特徴とする装置。
【発明の詳細な説明】
【技術分野】
【０００１】
本発明は、照射線（radiation）によって人間の皮膚を処置するための装置であって、当該装置は、照射線出口開口を備えたハウジング、前記ハウジングに収容される照射線源及び前記照射線源と前記照射線出口開口との間の照射線経路を有し、前記照射線経路は所定の透過スペクトルを持つ照射線フィルタを有する、装置に関する。
【背景技術】
【０００２】
冒頭段落において述べられた種類の人間の皮膚を処置するための装置は、米国特許第６，２８０，４３８号から知られている。この既知の装置は、比較的高いエネルギー密度を有する光パルスによって人間の皮膚から毛を除去するのに用いられる。照射線源は、楕円リフレクタの焦点において構成される、比較的広いスペクトルを有するパルス光を発生させるガス充填されたリニアフラッシュランプである。照射線フィルタは、照射線経路中で該放射経路の主方向に直角に構成されるとともに照射線出口開口をカバーする、プレート形フィルタであるので、フラッシュランプによって発生させられた光はフィルタを通過する。照射線フィルタの透過スペクトルは、該フィルタが、発生させられた光のスペクトルのうち、毛の除去に効果的であり皮膚に非所望の副作用を及ぼさない部分を透過して、発生させられた光のスペクトルのうち、皮膚に非所望の副作用を及ぼす部分を吸収するようなものである。このようにして、毛が効果的に除去される一方で、皮膚への副作用（例えば火傷）は可能な限り防止される。
【０００３】
発生する光のスペクトルの前記部分の、放射線フィルタによる吸収の結果、フィルタは加熱される。発生する光パルスは比較的高エネルギー密度を有するので、比較的大きいエネルギー量が照射線フィルタによって吸収される。人間の皮膚を処置するための既知の装置の欠点は、フィルタの円周部分しか装置のハウジングとの直接熱的接触をしないので、照射線フィルタが限られた程度までしか冷却されない、ということである。その結果、動作中、フィルタの過剰な熱変形が起こり、これは、フィルタの永久変形又は破損すら生じうる。
【発明の概要】
【発明が解決しようとする課題】
【０００４】
本発明の目的は、冒頭段落で述べられたような人間の皮膚を処置するための装置であって、より良く冷却されることができる照射線フィルタを持つため、フィルタの永久変形又は破損の危険性が制限されるような、装置を提供することである。
【課題を解決するための手段】
【０００５】
この目的を達成するため、本発明による人間の皮膚を処置するための装置は、前記照射線フィルタが反射面を有し、前記照射線経路に沿って伝播する前記照射線は前記反射面を介して反射し、前記反射面は、前記所定の透過スペクトルに実質的にマッチする反射スペクトルを当該反射面に与えるコーティングを持つことを特徴とする。本発明による人間の皮膚を処置するための装置において、前記照射線源によって発生する前記照射線は、前記反射面の前記所定の反射特性の結果として、フィルタリングされる。発生させられる照射線のスペクトルのうち、人間の皮膚の意図された処置に効果的であり、皮膚に非所望の副作用を及ぼさない部分は、前記反射面によって反射される一方で、発生させられる照射線のスペクトルのうち、皮膚に非所望の副作用を及ぼす部分は、前記反射面によって吸収される。反射面は、照射線経路に隣接して構成され、照射線経路を、照射線の少なくともかなりの部分が、照射線源から照射線出口開口に向かって伝播する間、１回又は好適には２回以上反射面によって反射されるように囲む。反射面は、照射線に対して透明である必要はない。その結果、反射面の全ての部分が、装置の冷却システムと直接熱接触されることができるので、装置の反射面と冷却システムとの間で、改善された均一な熱接触が達成される。このようにして、反射面の熱変形は限定的であり、反射面の局所的な過剰な熱変形は防止さえされ、このため、照射線フィルタの永久的な変形及び破損は防止される。
【０００６】
本発明による人間の皮膚を処置するための装置の特定の実施例は、前記照射線フィルタが、前記照射線経路を囲み前記反射面が設けられる内側壁を有する、チャネルを有することを特徴とする。この実施例において、照射線は、照射線源から照射線出口開口に向かって前記チャネルを通じて伝播させる。反射面が前記チャネルの内側壁に設けられるので、チャネルを通じて伝播する照射線は反射面によって反射される。このように、照射線フィルタは非常に効果的であり、フィルタは実用的な構造を有する。
【０００７】
本発明による人間の皮膚を処置するための装置の他の実施例は、前記チャネルが前記照射線源と前記照射線出口開口との間に位置する曲がり（bend）を有することを特徴とする。チャネル中の前記曲がりの存在の結果、チャネルを通じて伝播する照射線の全部分が、反射面が設けられたチャネルの内壁に当たるようにされる。その結果、チャネルを通じて伝播する照射線の全部分は、１回又は２回以上反射されるので、フィルタの効果は更に改善される。
【０００８】
本発明による人間の皮膚を処置するための装置の特定の実施例は、前記反射面が、第１の反射スペクトルを第１の部分に与える第１のコーティング材料を持つ当該第１の部分と、第２の反射スペクトルを第２の部分に与える第２のコーティング材料を持つ当該第２の部分とを有し、前記第１の及び前記第２の反射スペクトルは、合わせて、前記所定の透過スペクトルにマッチすることを特徴とする。人間の皮膚からの毛の除去等の、人間の皮膚のほとんどの処理について、前記照射線フィルタの前記所定の透過スペクトルは、前記照射線のうち第１の制限値より短い波長を持つ第１の部分は前記フィルタによって吸収され、前記照射線のうち前記第１の制限値と前記第１の制限値より高い第２の制限値との間の波長を持つ第２の部分は前記フィルタによって透過され、前記照射線のうち前記第２の制限値より長い波長を持つ第３の部分は前記フィルタによって吸収されるようなものであるべきである。この特定の実施例において、透過スペクトルのこのようなプロファイルは、前記第１の反射スペクトルが、前記反射面の前記第１の部分は、前記第１の制限値より短い波長を有する照射線をほぼ完全に吸収し、前記第１の制限値より長い波長を有する照射線をほぼ完全に反射するようなものであり、前記第２の反射スペクトルが、前記反射面の前記第２の部分は、前記第２の制限値より短い波長を持つ照射線をほぼ完全に反射し、前記第２の制限値より長い波長を持つ照射線をほぼ完全に吸収するようなものであれば、実際的な態様で達成される。
【０００９】
本発明による人間の皮膚を処置するための装置の特定の実施例は、前記反射面が、冷却システムと熱接触する壁に設けられることを特徴とする。均一な熱接触は、前記反射面と前記壁との間にある。冷却システムは、均一な熱接触が更に前記壁と前記冷却システムとの間にも存在するように設計されることができる。このような態様で、前記反射面を均一に冷却するために、単純で実際的な構造が達成される。
【００１０】
本発明による人間の皮膚を処置するための装置の他の実施例は、前記冷却システムが、冷却流体で満たされた回路を有し、前記壁が前記回路と熱接触することを特徴とする。前記回路の使用の結果、壁及びその上に設けられた反射面は、均一に冷却される。
【００１１】
本発明による人間の皮膚を処置するための装置の他の実施例は、前記冷却システムが、ガス流を発生させるためのファン及び前記ガス流を前記壁に沿ってガイドするためのガイドを有することを特徴とする。前記ファン及び前記ガイドの使用の結果、壁及びその上に設けられた反射面は、均一に冷却される。
【００１２】
本発明による人間の皮膚を処置するための装置の特定の実施例は、該装置が、前記照射線源がフラッシュランプである、人間の皮膚から毛を除去するための装置であることを特徴とする。フラッシュランプの光は、紫外線から近赤外線の範囲に亘る比較的広いスペクトルを有する。このスペクトルのうち、人間の皮膚からの毛の除去に効果的である部分は、約６００ｎｍ〜９００ｎｍに位置する。このスペクトルのうち、約６００ｎｍより短く約９００ｎｍより長い部分は、毛の除去のために効果的でなく、更に、火傷又はＤＮＡ変異等の皮膚への非所望の副作用を生じさせる。毛を除去するために必要な光のエネルギー密度は比較的高いので、照射線フィルタは大量のエネルギーを吸収しなければならない。フラッシュランプの光のこれらの特性を考慮すると、本発明は、特に、フラッシュランプによって毛を除去するための装置における使用に適切である。
【図面の簡単な説明】
【００１３】
【図１】本発明による人間の皮膚を処置するための装置の第１の実施例を図式的に示す。
【図２】本発明による人間の皮膚を処置するための装置の第２の実施例を図式的に示す。
【図３】本発明による人間の皮膚を処置するための装置の第３の実施例を図式的に示す。
【発明を実施するための形態】
【００１４】
本発明による照射線によって人間の皮膚を処置するための装置の実施例は、以降で図を参照して説明される。
【００１５】
人間の皮膚を処置するための装置１の第１の実施例は、人間の皮膚から毛を除去するための装置、特に、比較的長い時間又は永久に毛を除去する脱毛器である。図１は、本発明の原理を理解するのに必要な装置１の主要部のみを図式的に示す。装置１は、握り５を有するハウジング３及び前記握り５に取り付けられるヘッド７を有する。ヘッド７は照射線源９を収容し、これは、この特定の実施例においてはガス充填されたリニアフラッシュランプである。ヘッド７のフロント部分１１において、照射線源９によって動作中に発生させられた光のために照射線出口開口１３が設けられる。ヘッド７は、更に、照射線源９と照射線出口開口１３との間に延在する照射線経路１５を収容する。動作中、照射線源９は、比較的高いエネルギー密度を持つ光パルスを発生させ、この光パルスは、照射線源９から照射線出口開口１３に向けて伝播し、照射線出口開口の前に存在する人間の皮膚を照射する。光の一部は毛にある毛根及び毛包によって吸収され、これらは、光の比較的高いエネルギー密度のため、かなり加熱される。その結果、毛根及び毛包は損傷され又は破壊さえされ、毛の成長は、かなり長い間又は永久に防止される。
【００１６】
図１に示される実施例において、照射線経路は、長方形又は正方形の断面を持ち照射線源９と照射線出口開口１３との間に位置する曲がり１９を持つチャネル１７によって囲まれる。チャネル１７の内壁２１は、反射面２３を備える。曲がり１９の存在の結果、照射線源９から照射線出口開口１３に向かって伝播する光の全部分は、内壁２１に当てられ、該内壁２１に設けられた反射面２３によって少なくとも１回反射されるようにされる。反射面２３は、該反射面２３に所定の反射スペクトルを与えるコーティングを持つ。図１に示される実施例において、前記コーティングは、JML Optical Industriesによって販売されJML Direct Opticsのパンフレット第三版のページG-18に開示される、高度に反射する誘電多層ミラーコーティング（Suffix:503）である。この特定のコーティングは、約６００ｎｍより短い波長及び約９００ｎｍより長い波長において、比較的低い反射係数を持つ。約６８０ｎｍ〜８５０ｎｍの波長において、この特定のコーティングは、約１００％の反射係数を持つ。照射線源９は、紫外線から近赤外線までの範囲に亘る比較的広いスペクトルを持つので、反射面２３を有するチャネル１７は、照射線経路１５を規定して囲むだけでなく、所定の透過スペクトルを持つ照射線経路１５の照射線フィルタとしても効果的に用いられ、ここで、反射面２３の反射スペクトルは前記所定の透過スペクトルに実質的にマッチする。従って、図１の実施例において、照射線フィルタは、照射線源９からの光の約６８０ｎｍ〜８５０ｎｍの波長を持つ部分を実質的に完全に透過する。波長のこれらの部分は、肌への受け入れ難い副作用を引き起こすことなく人間の肌から毛を除去するのに特に効果的である。照射線フィルタは、約６００ｎｍより低く約９００ｎｍより高い波長を持つ照射線源９から光の主要な部分を吸収する。波長のこれらの部分は、毛の除去には効果的でなく、皮膚に、所望されない副作用、例えば熱傷又はＤＮＡ変異さえも生じさせる。このようにして、毛は照射線源９からの光によって効果的に除去されるが、人間の皮膚への光の非所望の副作用は、照射線フィルタの存在によって可能な限り防止される。
【００１７】
照射線源９からの光のスペクトルの、反射面２３によって反射されない部分は、黒いガラス等の光吸収材料から作られた内壁２１によって吸収される。その結果、内壁２１は加熱される。照射線源９によって発生される光パルスは比較的高いエネルギー密度を持つので、比較的大量のエネルギーが内壁２１によって吸収される。発生する光のための照射線フィルタとして反射面２３を使用することの利点は、反射面２３が、照射線経路１５に隣接した反射面２３の位置については照射線に対して透明である必要がないということである。その結果、反射面２３の全ての部分は、装置１の冷却システム２５と直接の熱接触をさせられることができる。図１に示される実施例において、冷却システム２５は、冷却流体で満たされた回路２７を有する。回路２７は、チャネル２３の内壁２１と該内壁２１に平行に構成された追加の壁２９とによって囲まれる。装置１は、更に、冷却流体を回路２７を通じて内壁２１に沿って注入するための図１に示されないポンプ手段を有する。このように、内壁２１の全部分は、冷却システム２５の回路２７と直接熱的に接触する。その結果、内壁２１と冷却システム２５との間に均一な熱接触が提供される。このように内壁２１が冷却システム２５によって均一に冷却されるので、反射面２３の熱変形は限定的であり、反射面２３の局所的な過剰な熱変形は防止さえされ、このため、照射線フィルタの永久的な変形及び損傷又は破損は防止される。
【００１８】
照射線経路１５に対する反射面２３の位置は、照射線源９によって発生された光の少なくとも主要な部分が反射面２３によって１回反射されるようなものであるべきことに注意されたい。好適には、発生した光の全部分が反射面２３によって反射され、好適には、１回より多く反射される。オプティクスの分野の当業者は、チャネル１７及び反射面２３の形状及び寸法を、この条件が満たされるような態様で、直接的に決定することができることは理解されよう。曲がり１９の存在は、反射面２３によって反射される光の量を増加させるので、照射線フィルタの効果が大幅に向上することに注意されたい。しかし、この曲がり１９の存在は必須ではなく、十分な反射特性は、例えば、その長さと幅との間に比較的大きな比率を持つまっすぐなチャネルによっても得られることができる。更に、本発明は、照射線フィルタが、１つより多いチャネル、即ち、その内壁に反射面を備えたチャネルマトリックス等の複数のチャネルを有する実施例も含む。更に、装置１の照射線フィルタの効果は、チャネル１７の使用の結果増加し、このような態様で、照射線フィルタは実際的な構造を持つことにも注意されたい。しかし、チャネル１７又は一般に光導波路の使用は必須でないことに注意されたい。反射面は、例えば、単一壁構造又は一連の隣接した若しくは連続した壁構造であって、照射線経路に対して、照射線源９によって発生した光のかなりの部分が、放射出口開口を通過する前に反射面によって反射されるような位置にある壁構造上に設けられてよい。
【００１９】
本発明による人間の皮膚を処置するための装置３１の第２の実施例も、人間の肌から毛を除去する装置、特に、比較的長い間又は永久的に毛を除去するための脱毛器である。図２は、本発明の原理を理解するのに必要な装置３１の主要部のみを図式的に示す。装置３１の部分であって、図１に示される装置１の部分に対応し、上記で説明されたものは、図２において対応する参照番号によって示され、詳細には説明されない。以降では、装置３１と装置１との間の主要な違いのみが簡単に議論される。
【００２０】
装置３１は、該装置３１が、装置１の冷却システムとは異なる冷却システム３３を有するという点で主に、装置１と異なる。冷却システム３３は、図２には示されない電気モータによって駆動されることができるファン３５を有する。チャネル１７'は、反射面２３'を持つ内壁２１'が設けられる、光吸収材料から作られたシート３７によって形成される。動作中、ファン３５は、空気流３９を発生し、これは、シート３７とヘッド７'の内壁４５との間に設けられるガイドチャネル４３によって、シート３７の外面４１の主要部に沿ってガイドされる。空気流３９がこのようにシート３７の外面４１の主要部に沿って存在するので、この第２の実施例においても、内壁２１'の実質的に均一な冷却が得られる。冷却システム３３は、比較的単純で実用的な構造を備えている。
【００２１】
本発明による人間の皮膚を処置するための装置５１の第３の実施例は、人間の皮膚から毛を除去するための装置、特に、比較的長い時間又は永久的に毛を除去するための脱毛器である。図３は、本発明の原理を理解するのに必要な装置５１の主要部のみを図式的に示す。装置５１の部分であって、図１に示される装置１の部分に対応し、上記で説明されたものは、図３において対応する参照番号によって示され、詳細には説明されない。以降では、装置５１と装置１との間の主要な違いのみが簡単に議論される。
【００２２】
装置５１は、主に、装置５１のチャネル１７''の形状及び寸法と、照射線源９''の位置とが、照射線源９''によって発生される光の全部分がチャネル１７''の内壁によって少なくとも２回反射される、即ち、チャネル１７''の上側内壁５３によって少なくとも１回、そして、チャネル１７''の下側内壁５５によって少なくとも１回反射される、という点で主に装置１とは異なる。チャネル１７''のこの反射特性は、主に、チャネル１７''の長さと幅との間の比較的大きい比率によって達成されるが、オプティクスの分野の当業者は、直接的な態様で、チャネル１７''の主要な寸法のより正確な値を決定することが可能であり、これにより、前記反射特性が達成されることができることは理解されるであろう。前記上側内壁５３は、チャネル１７''の反射面の第１の部分５７を有する一方で、前記下側内壁５５は、前記反射面の第２の部分５９を有する。反射面の前記第１の部分５７及び前記第２の部分５９は、それぞれ、第１のコーティング材料及び第２のコーティング材料を設けられ、前記第１のコーティング材料は、前記第１の部分５７に、第１の反射スペクトルを与え、前記第２のコーティング材料は、前記第２の部分５９に、第２の反射スペクトルを提供する。図３に示される実施例において、前記第１のコーティング材料は、Linos Photonics catalog, 2001, section thin film coatings, page H13, item FKP-5において特定されたコーティング材料である。このコーティング材料は、約６００ｎｍのいわゆるエッジ波長を持つので、第１のコーティング材料は、約６００ｎｍより短い波長については比較的低い反射係数を持ち、約６００ｎｍより長い波長については比較的高い反射係数を持つ。図３に示される実施例において、前記第２のコーティング材料は、Linos Photonics catalog, 2001, section thin film coatings, page H14, item FLP-5において特定されるコーティング材料である。このコーティング材料は、約９００ｎｍのエッジ波長を持つので、第２のコーティング材料は、約９００ｎｍより低い波長については比較的低い反射係数を持ち、約９００ｎｍより高い波長については比較的高い反射係数を持つ。照射線源９によって発生される光の全部分が上側内壁５３によって少なくとも１回、下側内壁５５によって少なくとも１回反射されるので、約６００ｎｍより短い波長を持つ光の主要部分は反射面の前記第１の部分５７によって吸収され、約９００ｎｍより長い波長を持つ光の主要部分は反射面の前記第２の部分５９によって吸収され、約６００ｎｍ〜９００ｎｍの波長を持つ光の主要部分は反射面の前記第１の及び前記第２の部分５７、５９の両方によって反射されるので、結果的に、装置５１の照射線フィルタによって透過される。従って、反射面の前記第１の及び前記第２の部分５７、５９のそれぞれの前記第１の及び前記第２の反射スペクトルは、合わせて、装置１の照射線フィルタの透過スペクトルにおおよそ対応する装置５１の照射線フィルタの所定の透過スペクトルにマッチする。
【００２３】
以上で説明された図１、２、３に示される本発明による人間の皮膚を処置する装置１、３１、５１の実施例は、人間の肌から毛を除去するための装置であり、特に、毛を比較的長い時間又は永久に除去するための脱毛器である。しかし、本発明が、照射線によって人間の皮膚を処置するための他の種類の装置も含むことに注意されたい。このような装置の例は、皮膚にある母斑、例えば脈母斑（naevus vinosus）及び色素性母斑（naevus pigmentosus）、乾癬、又は皮膚にある血管の異常、例えば拡張蛇行静脈の照射線又は照射パルスによる医療又は美容処置のための装置である。人間の皮膚のこのような処置の分野の当業者は、どの種類の照射が、特に、どの波長の照射線が、特定の種類の処置にとって最も効果的であり、どの波長が皮膚の残りの部分にとって効果的でなく危険であるかを知っている又は確かめることができることは理解されるであろう。この情報に基づいて、オプティクスの当業者は、直接的に、照射線フィルタの所定の透過スペクトルを定め、前記所定の透過スペクトルにマッチする反射スペクトルを与える適当なコーティング又はコーティングの組み合わせを見つけることが可能である。
【００２４】
更に、明細書及び請求の範囲において、用語「反射面」は、その正しい意味で読まれるべきであることに注意されたい。当業者は、反射面によって反射された光の部分について言及されたら、光の前記部分を実際に反射するのはコーティングであることを理解するであろう。当業者は、反射面によって吸収される光の部分について言及されたら、コーティングは光の前記部分を透過するのであり、光の前記部分は、実際には、コーティングが設けられた、例えば、壁、基板又は他の構造によって吸収されるということも、理解するであろう。本発明は、光の前記部分が冷却システムの冷却流体によって直接吸収される実施例もカバーする。このような実施例においては、例えば、コーティングは、冷却流体が流れる透明なガラス等の、光を透過する基板上に設けられる。
【００２５】
図１、２及び３に示される実施例において、照射線経路１５，１５'，１５''は空気又はガスで満たされる。最後に、本発明は、照射線経路が液体で満たされる又は照射線経路が固体ですらある実施例も含むことに注意されたい。従って、例えば、照射線経路は、照射線が伝播するガラス体を有してもよく、ガラス体の表面には、照射線に対して所望の反射スペクトルを該ガラス体の表面に与えるコーティングが設けられる。
【図１】
2011050792.tif 000003
【図２】
2011050792.tif 000004
【図３】
2011050792.tif 000005